(57)【特許請求の範囲】
【請求項１】
一部が欠損した歯牙に補填され、または全部が喪失した歯牙の代わりに補填され、再治療する際に、歯科用治具により除去される歯科補綴物において、
前記歯科用治具により切削する切削位置の肉厚が、前記切削位置の隣接位置より薄い薄肉部を備え、前記薄肉部の位置を示す位置表示部を備えた歯科補綴物。
【請求項２】
前記位置表示部は、前記薄肉部の位置に対応した外側面に配置されている請求項１記載の歯科補綴物。
【請求項３】
前記位置表示部は、２つが配置され、
前記位置表示部同士を結ぶ仮想線が、前記薄肉部の形成方向を示す請求項１または２記載の歯科補綴物。
【請求項４】
前記薄肉部は、クラウンに形成された溝状の凹部により、前記隣接位置より薄く形成された請求項３記載の歯科補綴物。
【請求項５】
前記薄肉部は、クラウンまたはインレーに形成された局所的な凹部により、前記隣接位置より薄く形成された請求項２記載の歯科補綴物。
【請求項６】
前記薄肉部は、ブリッジのポンティック内部の空洞部により、前記隣接位置より薄く形成された請求項２記載の歯科補綴物。
【請求項７】
溝状の凹部による薄肉部の形成方向が前記仮想線により示された前記位置表示部の形状と、局所的な凹部による他の薄肉部を示す位置表示部の形状とを異ならせた請求項３記載の歯科補綴物。
【請求項８】
前記薄肉部の形状および位置を識別するための識別表示部を備えている請求項１記載の歯科補綴物。
【請求項９】
前記請求項８に記載の歯科補綴物の前記薄肉部の形状および位置が、前記識別表示部が示す情報に関連付けられて格納される記憶手段と、
前記識別表示部に基づいて、前記歯科補綴物に該当する前記薄肉部の形状および位置を、前記記憶手段から検索する検索手段とを備えた歯科補綴物管理装置。
【発明の詳細な説明】
【技術分野】
【０００１】
本発明は、一部が欠損または全部が喪失した歯牙に補填した治療歯に対して容易に再治療を行うことができるクラウンやインレー、ブリッジなどの歯科補綴物およびその管理装置に関するものである。
【背景技術】
【０００２】
歯冠部分がう蝕した歯牙を治療するときには、歯冠部分のう蝕部分を除去し、一部が欠損した状態の歯牙を支台歯として形成して、クラウンを装着する。また、咬合面にう蝕ができたときには、咬合面を窩洞してインレーを装着する。更に、歯牙が喪失した場合には、隣在歯を支台歯として、支台歯に被せるクラウン（支台装置）と喪失した歯牙の代わりにダミー（ポンティック）とを連結したブリッジを装着する。
このようなクラウンやインレー、ブリッジなどの歯科補綴物について、特許文献１に記載されたものが知られている。
【０００３】
特許文献１に記載の被覆冠は、支台歯を被覆するフレームと、被覆冠の色調を整えると共に、フレームより硬度が低い第１陶材層とを備え、第１陶材層は、支台歯に被せたときに外部に露出する面の少なくとも一部に形成され、被覆冠の厚さを０．５ｍｍ〜１．２ｍｍとし、被覆冠の厚さに対するフレームの厚さを、第１陶材層の最も厚い部分において、６０％〜９５％としたものである。
【先行技術文献】
【特許文献】
【０００４】
【特許文献１】特開２０１３−０５６１０３号公報
【発明の概要】
【発明が解決しようとする課題】
【０００５】
特許文献１に記載された歯科補綴物でも、治療歯に再治療が必要となったときには除去され、治療歯の治療部分を露出させる。
例えば、全部被覆冠のクラウンを除去するときには、クラウンの一方の裾部から咬合面を通り他方の裾部まで溝を堀り、更に、この溝の底が抜け、クラウンが分割された状態となるまで掘り進めて裂け目を作り、先端が一の字状の歯科用治具を裂け目に入れて、分割されたクラウンを開いて取り外す方法がある。
また、歯牙の咬合面を縦断するように形成されたインレーを除去するときには、歯牙の側面に位置するインレーの脚部を切削して、鉗子を差し込み、インレーを押し上げて取り外す方法がある。
【０００６】
しかし、歯牙の治療に用いられる歯科補綴物は、材質が硬質で、剛性が高いので、切削するのが容易では無く、時間が掛かる。歯科補綴物を簡単に切削できれば、治療時間も短縮でき、患者の負担も軽減できる。
【０００７】
そこで本発明は、容易に切削でき、除去できることで、患者の負担を軽減できる歯科補綴物および歯科補綴物管理装置を提供することを目的とする。
【課題を解決するための手段】
【０００８】
本発明は、一部が欠損または全部が喪失した歯牙に補填され、前記歯牙を再治療する際に、歯科用治具により除去される歯科補綴物において、前記歯科用治具により切削する切削位置の肉厚が、前記切削位置の隣接位置より薄い薄肉部を備えたことを特徴とする。
【０００９】
本発明の歯科補綴物によれば、歯科用治具により切削する切削位置の肉厚が、前記切削位置の隣接位置より薄い薄肉部を備えているため、歯科医師がこの薄肉部を切削することで、他の位置を切削するより、容易に薄肉部に裂け目や孔を開けることができる。
【００１０】
前記薄肉部の位置を示す位置表示部を備えため、歯科医師は、この位置表示部が示す薄肉部を歯科用治具により切削することで、薄肉部が外側から見えなくても、容易に、薄肉部の位置を把握することができる。
【００１１】
前記位置表示部が、前記薄肉部の位置に対応した外側面に配置されていると、歯科医師は、位置表示部を目掛けて切削することにより、外側から見えない薄肉部を間違いなく切削することができる。
【００１２】
前記位置表示部が、２つが配置され、前記位置表示部同士を結ぶ仮想線が、前記薄肉部の形成方向を示すものであると、薄肉部が細長く形成されていても、位置表示部同士を結ぶ仮想線が薄肉部の形成方向を示しているため、外側から見えない、長さがある薄肉部を間違いなく切削することができる。
【００１３】
前記薄肉部は、クラウンに形成された溝状の凹部とすることができる。そうすることで、歯科医師が溝部に沿って切削することでクラウンを分割することができる。
【００１４】
前記薄肉部は、クラウンまたはインレーに形成された局所的な凹部とすることができる。そうすることで、前記薄肉部を切削して孔を開け、この孔に鉗子を挿入して、引き上げるようにしてクラウンまたはインレーを除去することができる。
【００１５】
前記薄肉部が、ブリッジのポンティック内部の空洞部により形成されていると、位置表示部が示すポンティックの周囲を切削することで、ポンティックを切断することができる。
【００１６】
前記位置表示部は、薄肉部の形成方向を示すものと、他の薄肉部を示すものとの形状を異ならせれば、歯科医師が位置表示部を見れば、どのような薄肉部が形成されているか判断することができる。
【００１７】
本発明の歯科補綴物が、前記薄肉部の形状および位置を識別するための識別表示部を備えていれば、歯科医師は、識別表示部から薄肉部の配置を把握することができる。
【００１８】
本発明の歯科補綴物管理装置は、歯科補綴物の前記薄肉部の形状および位置が、前記識別表示部が示す情報に関連付けられて格納される記憶手段と、前記識別表示部に基づいて、前記歯科補綴物に該当する前記薄肉部の形状および位置を、前記記憶手段から検索する検索手段とを備えたことを特徴とする。
【００１９】
本発明の歯科補綴物管理装置によれば、検索手段が、識別表示部から、歯科補綴物に該当する薄肉部の形状および位置を、記憶手段から検索するので、歯科補綴物に付与された識別表示部により、歯科医師は薄肉部の形状や位置を容易に把握することができる。
【発明の効果】
【００２０】
本発明の歯科補綴物によれば、薄肉部を歯科用治具により切削することで、容易に薄肉部に裂け目や孔を開けるができるので、容易に切削でき、除去できることで、患者の負担を軽減できる。
【図面の簡単な説明】
【００２１】
【図１】本発明の実施の形態１に係るクラウンを示す斜視図である。
【図２】図１に示すクラウンの断面図であり、（Ａ）は、Ａ−Ａ線断面図、（Ｂ）は、Ｂ−Ｂ線断面図である。
【図３】本発明の実施の形態２に係るクラウンを示す斜視図である。
【図４】図３に示すクラウンの断面図であり、（Ａ）は、Ｃ−Ｃ線断面図、（Ｂ）は、Ｄ−Ｄ線断面図である。
【図５】図３に示すクラウンの第１位置表示部と、第１位置表示部が示す第１薄肉部とを説明するための図である。
【図６】本発明の実施の形態３に係るクラウンを示す正面図である。
【図７】図６に示すクラウンの右側面図である。
【図８】図６に示すクラウンの被覆部を除去して歯牙形成部が露出した状態の正面図である。
【図９】図６に示すクラウンの垂直断面図である。
【図１０】クラウンの水平断面図である。
【図１１】本発明の実施の形態３に係るクラウンの変形例を示す右側面図である。
【図１２】図１１に示すクラウンの垂直断面図である。
【図１３】図１１に示すクラウンの被覆部を除去して歯牙形成部が露出した状態の正面図である。
【図１４】図１１に示すクラウンの水平断面図である。
【図１５】本発明の実施の形態４に係るブリッジを示す正面図である。
【図１６】本発明の実施の形態５に係るクラウンを示す斜視図である。
【図１７】図１６に示すクラウンの断面図であり、（Ａ）は、Ｅ−Ｅ線断面図、（Ｂ）は、Ｆ−Ｆ線断面図である。
【図１８】歯科補綴物管理装置の構成を示す図である。
【図１９】図１８に示す端末装置の表示手段に表示された画面例の図である。
【図２０】図１６に示すクラウンの変形例を示す斜視図である。
【発明を実施するための形態】
【００２２】
（実施の形態１）
本発明の実施の形態１に係る歯科補綴物を図面に基づいて説明する。本実施の形態１では、全部被覆冠としたクラウンを例に説明する。
図１に示すように本実施の形態１に係るクラウン１０１は、治療により一部が欠損した臼歯を支台歯２０として補填されている。クラウン１０１は、再治療する際には、歯科用治具（図示せず）により除去される。
【００２３】
図１および図２に示すクラウン１０１は、支台歯２０の歯冠部分全部を覆っている。
クラウン１０１は、咬合面１０ｓが厚く、平均して、樹脂製で約２ｍｍ、金属製やセラミック製で約１ｍｍの厚みである。クラウン１０１は、上面となる咬合面１０ｓから下部となる裾部へ向かって徐々に厚みが薄くなるように形成されている。
クラウン１０１の内側面１０ｍには、歯科用治具により切削する切削位置の肉厚が、この切削位置の隣接位置より薄い、薄肉部（第１薄肉部１１ａ，第２薄肉部１１ｂ）が形成されている。
【００２４】
第１薄肉部１１ａは、クラウン１０１の一方の裾部１０ａ（例えば、頬側の裾部。）から咬合面１０ｓの中央部の裏側を通って、反対側の他方の裾部１０ｂ（例えば、口蓋側または舌側の裾部）まで形成された１本の溝状の凹部である。
第１薄肉部１１ａの形成方向は、歯列弓に対して交差する方向が、特に、歯列弓に直交する方向がクラウンを分割しやすいので望ましい。隣在歯が切削の邪魔にならなければ第１薄肉部１１ａの形成方向は、歯列弓に沿った方向でもよい。
第２薄肉部１１ｂは、クラウン１０１の裾部１０ｃに形成された局所的な円形状の凹部である。第２薄肉部１１ｂの形成位置は、口蓋側または舌側の裾部とするのが、クラウン１０１を切削して孔を形成した後に、この孔に歯科用治具を挿入してクラウン１０１を持ち上げやすいので望ましい。
切削位置となる第１薄肉部１１ａおよび第２薄肉部１１ｂは、隣接位置の厚みが約２ｍｍであれば、約０．３〜１ｍｍとすることができる。
【００２５】
以上のように構成された本発明の実施の形態１に係るクラウン１０１の除去方法を説明する。
まず、クラウン１０１を分割して除去する方法を説明する。
歯科医師は、予め、カルテまたはクラウン１０１を製作した歯科技工所から、第１薄肉部１１ａが、クラウン１０１の一方の裾部１０ａから咬合面１０ｓの中央部の裏側を通って反対側の他方の裾部１０ｂまでに形成されていることを承知している。
【００２６】
歯科医師は、切削工具により、第１薄肉部１１ａに沿って、クラウン１０１の外側面１０ｎを切削する。第１薄肉部１１ａは、他の部分より肉厚が薄いため、容易に切削することができる。
歯科医師は、第１薄肉部１１ａに沿って切削することで、第１薄肉部１１ａを中心して、クラウン１０１に裂け目を形成することができ、クラウン１０１を分割することができる。歯科医師は、分割されたクラウン１０１の裂け目に、先端が一の字状の歯科用治具を裂け目に入れて、分割されたクラウン１０１を開く。そして、分割されたクラウン１０１の双方を取り除く。
【００２７】
このようにして、歯科医師は、従来の作業を変更無しに、そのまま切削作業を行うだけだが、切削位置が、クラウン１０１の肉厚が薄い第１薄肉部１１ａであるため、作業時間を短縮することができる。従って、治療時間を短縮することができるので、患者の負担を軽減できる。
【００２８】
次に、第２位置表示部１２ｂによりクラウン１０１を除去する方法を説明する。
歯科医師は、予め、カルテまたはクラウン１０１を製作した歯科技工所から、第２薄肉部１１ｂが、口蓋側または舌側の裾部１０ｃに形成されていることを承知している。
【００２９】
歯科医師は、切削工具により、第２薄肉部１１ｂの位置をクラウン１０１の外側面１０ｎから切削する。第２薄肉部１１ｂは、他の部分より肉厚が薄いため、容易に切削することができる。
歯科医師は、第２薄肉部１１ｂを切削することで、裾部１０ｃの位置に孔を形成することができる。歯科医師は、この孔に鉗子を挿入して、押し上げ、支台歯２０からクラウン１０１を取り除く。
【００３０】
このようにして第１薄肉部１１ａのときと同様に、歯科医師は、従来の作業を変更無しに、そのまま切削作業を行うだけだが、切削位置が、クラウン１０１の肉厚が薄い第２薄肉部１１ｂであるため、作業時間を短縮することができる。従って、治療時間を短縮することができるので、患者の負担を軽減できる。
【００３１】
（実施の形態２）
本発明の実施の形態２に係る歯科補綴物を図面に基づいて説明する。本実施の形態２では、引き続いて全部被覆冠としたクラウンを例に説明する。なお、図３および図４においては、図１および図２と同じ構成のものは同符号を付して説明を省略する。
【００３２】
図３および図４に示すクラウン１０２は、治療が施される歯牙である臼歯を支台歯２０として、歯冠部分全部を覆って、一部が欠損した臼歯を補填している。
クラウン１０２の外側面１０ｎには、内側面１０ｍに第１薄肉部１１ａが形成された位置を示す位置表示部（第１位置表示部１２ａ）が形成されている。本実施の形態２では、クラウン１０２の外側面１０ｎの一つである咬合面１０ｓに位置した第１位置表示部１２ａは「△」記号としている。第１位置表示部１２ａは、２つ形成されている。第１位置表示部１２ａは、文字や記号、図形とすることができる。
【００３３】
この２つの第１位置表示部１２ａは、図５に示すように、２つの第１位置表示部１２ａを結ぶ仮想線Ｌ１が、第１薄肉部１１ａの形成方向を示している。特に、２つの第１位置表示部１２ａが、長さがある第１薄肉部１１ａ上に位置することにより、２つの第１位置表示部１２ａは、仮想線Ｌ１の下と、この仮想線Ｌ１から双方に延長した仮想線Ｌ２の下に、第１薄肉部１１ａが形成されていることを示すことができる。
【００３４】
第１位置表示部１２ａは、第１位置表示部１２ａを象る線部分を凹ませて形成することができる。また、第１位置表示部１２ａは、輪郭に囲まれた範囲の全部を凹ませて形成することもできる。
更に、第１位置表示部１２ａは、第１位置表示部１２ａを象る線部分を出っ張らせたり、輪郭に囲まれた範囲の全部を出っ張らせたりして形成することができる。
第１位置表示部１２ａを象る線部分を凹ませると、第１位置表示部１２ａは細かな溝による表示となり、この溝に微細な歯垢等が溜まるため、第１位置表示部１２ａは、輪郭に囲まれた範囲の全部を凹ませて形成することが望ましい。更に、第１位置表示部１２ａは、出っ張らせるのが望ましい。
【００３５】
また、図３および図４に示すように、クラウン１０２の外側面１０ｎには、第２薄肉部１１ｂが形成された位置を示す位置表示部（第２位置表示部１２ｂ）が形成されている。本実施の形態１では、第２位置表示部１２ｂは「○」記号としている。第２位置表示部１２ｂは、文字や記号、図形とすることができる。
第２位置表示部１２ｂは、第２薄肉部１１ｂの上に位置することにより、この下に、第２薄肉部１１ｂが形成されていることを示すことができる。
【００３６】
以上のように構成された本発明の実施の形態２に係るクラウン１０２の除去方法を説明する。
まず、第１位置表示部１２ａによりクラウン１０２を分割して除去する方法を説明する。
歯科医師は、クラウン１０２の咬合面１０ｓにて向き合う第１位置表示部１２ａを見つけると、２つの第１位置表示部１２ａを結ぶ仮想線Ｌ１から第１薄肉部１１ａの形成方向と、第１薄肉部１１ａの位置を把握することができる。
【００３７】
歯科医師は、切削工具により、第１薄肉部１１ａに沿って、クラウン１０２の外側面１０ｎを切削する。第１薄肉部１１ａは、他の部分より肉厚が薄いため、容易に切削することができる。
歯科医師は、クラウン１０２の内側面１０ｍに直線上の凹部（溝）が形成されて薄くなった第１薄肉部１１ａが外側面１０ｎから見えなくても、第１位置表示部１２ａが長さのある第１薄肉部１１ａを示すことで、第１薄肉部１１ａを中心して、クラウン１０２に裂け目を形成することができ、クラウン１０２を分割することができる。歯科医師は、分割されたクラウン１０２の裂け目に、先端が一の字状の歯科用治具を裂け目に入れて、分割されたクラウン１０２を開く。そして、分割されたクラウン１０２の双方を取り除く。
【００３８】
このようにして、歯科医師は、従来の作業を変更無しに、そのまま切削作業を行うだけだが、切削位置が、クラウン１０２の肉厚が薄い第１薄肉部１１ａであるため、作業時間を短縮することができる。従って、治療時間を短縮することができるので、患者の負担を軽減できる。
【００３９】
また、第１位置表示部１２ａが、第１薄肉部１１ａの位置に対応した外側面１０ｎに配置されているため、歯科医師は、第１位置表示部１２ａを結ぶ仮想線Ｌ１，Ｌ２を目掛けて切削することにより、外側から見えない薄肉部を間違いなく切削することができる。
【００４０】
次に、第２位置表示部１２ｂによりクラウン１０２を除去する方法を説明する。
歯科医師は、クラウン１０２の第２位置表示部１２ｂを見つけると、第２位置表示部１２ｂの下（内側面）に、第２薄肉部１１ｂが位置していることを把握することができる。
【００４１】
歯科医師は、切削工具により、第２薄肉部１１ｂの位置をクラウン１０２の外側面１０ｎから切削する。第２薄肉部１１ｂは、他の部分より肉厚が薄いため、容易に切削することができる。
歯科医師は、クラウン１０２の内側面１０ｍに局所的な凹部が形成されて薄くなった第２薄肉部１１ｂが外側面１０ｎから見えなくても、第２位置表示部１２ｂが第２薄肉部１１ｂを示すことで、第２位置表示部１２ｂの位置に孔を形成することができる。歯科医師は、この孔に鉗子を挿入して、押し上げ、支台歯２０からクラウン１０２を取り除く。
【００４２】
このようにして、第１位置表示部１２ａが示す第１薄肉部１１ａのときと同様に、歯科医師は、従来の作業を変更無しに、そのまま切削作業を行うだけだが、切削位置が、クラウン１０２の肉厚が薄い第２薄肉部１１ｂであるため、作業時間を短縮することができる。従って、治療時間を短縮することができるので、患者の負担を軽減できる。
【００４３】
また、第１位置表示部１２ａが「△」により表示されており、第２位置表示部１２ｂが「○」により表示されている。
このように、第１位置表示部１２ａが示す第１薄肉部１１ａの形成方向を示すものと、第２位置表示部１２ｂが示す他の薄肉部である第２薄肉部１１ｂを示すものとの形状が、「△」と「○」とで異なっていることで、薄肉部が溝状の凹部か、または局所的な凹部であるのか、一目で判別することができる。
【００４４】
本実施の形態２では、クラウン１０２に第１位置表示部１２ａおよび第１位置表示部１２ａに対応する第１薄肉部１１ａと、第２位置表示部１２ｂおよび第２位置表示部１２ｂに対応する第２位置表示部１２ｂとの両方が形成されているが、いずれか一方でよい。
【００４５】
（実施の形態３）
本発明の実施の形態３に係る歯科補綴物を図面に基づいて説明する。本実施の形態３では、前装鋳造冠としたクラウンを例に説明する。
図６から図９に示すように本実施の形態３に係るクラウン１０３は、治療が施される歯牙である中切歯を支台歯２１として、一部が欠損した中切歯を補填している。
クラウン１０３は、支台歯２０を覆い、金属またはジルコニアなどのセラミックにより形成された歯牙形成部１３と、審美性を向上させるために、歯牙形成部１３の前面部分を覆い、樹脂や陶材により形成された被覆部１４とを備えている。
【００４６】
図９に示すように、歯牙形成部１３の内側面１３ｍには、歯科用治具により切削する切削位置の肉厚が、この切削位置の隣接位置より薄い、薄肉部（第１薄肉部１１ａ）が形成されている。
第１薄肉部１１ａは、歯牙形成部１３の幅方向の中央部で、上下方向に延びるように形成されている。
【００４７】
図８に示すように、歯牙形成部１３の外側面１３ｎには、上部中央と下部中央とに、第１位置表示部１２ａが形成されている。図８に示すように、この一対の第１位置表示部１２ａを結ぶ仮想線Ｌ３の方向が第１薄肉部１１ａの形成方向であり、一対の第１位置表示部１２ａを結び、延長した仮想線Ｌ３の裏側が第１薄肉部１１ａの形成位置である。
【００４８】
以上のように構成された本発明の実施の形態３に係るクラウン１０３の除去方法を説明する。
歯科医師は、図６および図７に示すクラウン１０３の被覆部１４を除去する。被覆部１４を除去することで、図８から図１０に示す歯牙形成部１３の外側面１３ｎが露出する。
歯牙形成部１３の外側面１３ｎが露出することで、外側面１３ｎにて向き合う第１位置表示部１２ａを見つけると、２つの第１位置表示部１２ａを結ぶ仮想線Ｌ３から第１薄肉部１１ａの形成方向と、第１薄肉部１１ａの位置を把握することができる。
【００４９】
歯科医師は、切削工具により、第１薄肉部１１ａに沿って、歯牙形成部１３の外側面１３ｎを切削する。第１薄肉部１１ａは、他の部分より肉厚が薄いため、容易に切削することができる。
歯科医師は、歯牙形成部１３の内側面１３ｍに直線上の凹部（溝）が形成されて薄くなった第１薄肉部１１ａが、外側面１３ｎから見えなくても、第１位置表示部１２ａが第１薄肉部１１ａを示すことで、第１薄肉部１１ａを中心して、歯牙形成部１３に裂け目を形成することができ、歯牙形成部１３を分割することができる。歯科医師は、分割された歯牙形成部１３の裂け目に、先端が一の字状の歯科用治具を裂け目に入れて、分割された歯牙形成部１３を開く。そして、分割された歯牙形成部１３の双方を取り除く。
【００５０】
このようにして、歯科医師は、従来の作業を変更無しに、そのまま切削作業を行うだけだが、切削位置が、歯牙形成部１３の肉厚が薄い第１薄肉部１１ａであるため、作業時間を短縮することができる。従って、治療時間を短縮することができるので、患者の負担を軽減できる。
【００５１】
なお、上記実施の形態では、第１薄肉部１１ａが歯牙形成部１３の内側面１３ｍに形成されているため、歯牙形成部１３の外側面１３ｎに、第１位置表示部１２ａが形成されていたが、図１１から図１４に示すように、第１薄肉部１１ａが歯牙形成部１３の外側面１３ｎに形成されていてもよい。
【００５２】
クラウン１０３ｘの歯牙形成部１３には、第１薄肉部１１ａが外側面１３ｎに形成されている。そのため、歯牙形成部１３の外側面１３ｎには、第１位置表示部１２ａが形成されていない。
歯牙形成部１３の中央部を第１薄肉部１１ａとするために形成された溝状の凹部は、空洞とすることができる。また、溝状の凹部は、被覆部１４を形成する際に、被覆部１４を形成する部材を充填することもできる。
【００５３】
このようにクラウン１０３ｘでは、被覆部１４が歯牙形成部１３を覆っているため、歯牙形成部１３の外側面１３ｎに第１薄肉部１１ａが形成されていても、美観を損なうことがなく、容易に歯牙形成部１３を切削して分割することができる。
【００５４】
（実施の形態４）
本発明の実施の形態４に係る歯科補綴物を図面に基づいて説明する。本実施の形態４では、ブリッジを例に説明する。
図１５に示すように本実施の形態４に係るブリッジ１０４は、全部が喪失した歯牙である下顎の犬歯を補填すると共に、この犬歯に隣接する第一小臼歯および側切歯を支台歯２２，２３として一部が欠損した歯牙を補填するものである。
【００５５】
ブリッジ１０４は、支台歯２２，２３を覆い、金属またはジルコニアなどのセラミックにより形成された支台装置１５と、欠損した歯牙の代わりとなるポンティック１６と、支台装置１５およびポンティック１６を繋ぐ連結部１７とを備えている。
連結部１７には、支台装置１５が支台歯２２，２３を被覆するための収容空間１５ｓに連通する空洞部１７ｓが形成されている。この空洞部１７ｓにより連結部１７が薄肉部に形成される。
【００５６】
歯科医師は、カルテまたはブリッジ１０４を製作した歯科技工所から、ブリッジ１０４の連結部１７が薄肉部であることを承知していれば、ブリッジ１０４を除去するときには、連結部１７を切削する。
また、歯科医師は、ブリッジ１０４の薄肉部の有無を承知していなければ、例えば、図１５に示すように、第２位置表示部１２ｂの表示により、連結部１７が薄肉部であることを把握することができる。
【００５７】
このようにして、歯科医師は、歯科補綴物がブリッジ１０４であっても、連結部１７を薄肉部とすることで、作業時間を短縮することができるので、治療時間を短縮して、患者の負担の軽減を図ることができる。
【００５８】
（実施の形態５）
本発明の実施の形態５に係る歯科補綴物および歯科補綴物管理装置を図面に基づいて説明する。本実施の形態５では、全部被覆冠としたクラウンを例に説明する。なお、図１６および図１７においては、図１および図２と同じ構成のものは同符号を付して説明を省略する。
【００５９】
図１６および図１７に示す本実施の形態５に係るクラウン１０５は、実施の形態１に係るクラウン１０１（図１および図２参照）と同様の構成を有している。クラウン１０５とクラウン１０１との違いは、咬合面１０ｓの歯面溝１０ｔに識別表示部１８が形成されている。
識別表示部１８は、文字や記号、図形とすることができる。本実施の形態５では、「Ｇ」が識別表示部１８として表記されている。
この「Ｇ」の表記は歯科技工所を示すもので、歯科医師は、クラウン１０５を作製した歯科技工所が特定できれば、薄肉部がクラウン１０５のどの位置に配置されているか把握することができる。
しかし、クラウンやブリッジ、インレーなどの歯科補綴物は、様々な歯科技工所によって作製されるため、歯科医師は薄肉部の配置を全部記憶するのは大変である。
そこで、歯科医師は、歯科技工所に基づいて、歯科補綴物管理装置により、薄肉部を調べることができる。
【００６０】
ここで歯科補綴物管理装置について、図面に基づいて説明する。
図１８に示すように、歯科補綴物管理装置３０は、歯科技工所に設置されている。歯科医院には、この歯科補綴物管理装置３０にネットワークＷを介して接続する端末装置４０が設置されている。
歯科補綴物管理装置３０は、入力手段３１と、記憶手段３２と、制御手段３３と、表示手段３４とを備えている。歯科補綴物管理装置３０は、コンピュータに歯科補綴物管理プログラムを動作させることで機能する。
【００６１】
入力手段３１は、歯科医師が操作するキーボードやタッチパネルとすることができる。
記憶手段３２は、クラウン１０５やブリッジ、インレーなどの歯科補綴物の薄肉部（第１薄肉部１１ａ，第２薄肉部１１ｂ）の形状および位置が、識別表示部１８（図１６参照）が示す情報に関連付けられて格納されている。本実施の形態５に係る歯科補綴物管理装置３０では、薄肉部（第１薄肉部１１ａ，第２薄肉部１１ｂ）の形状および位置は、画像情報として記憶手段３２に格納されている。そして、この画像情報が、識別表示部１８が示す歯科技工所の名称に関連付けられている。この記憶手段３２は、ハードディスクとしたり、フラッシュメモリとしたりすることができる。
【００６２】
制御手段３３は、歯科補綴物管理装置３０全体を統括制御するものである。制御手段３３は、検索手段３３ａと、表示制御手段３３ｂと、通信手段３３ｃを備えている。
検索手段３３ａは、識別表示部１８に基づいて、クラウン１０５に該当する薄肉部の形状および位置を、記憶手段３２から検索する機能を備えている。
表示制御手段３３ｂは、検索手段３３ａにより検索された薄肉部の形状および位置を表示手段３４に出力する機能を備えている。
通信手段３３ｃは、ネットワークＷを介して検索手段３３ａと端末装置４０との通信を中継する機能を備えている。具体的には、通信手段３３ｃは、端末装置４０からの入力情報を検索手段３３ａへ通知すると共に、検索手段３３ａにより検索された薄肉部の形状および位置を端末装置４０へ送信する。
表示手段３４は、表示制御手段３３ｂからの表示データを表示するディスプレイである。表示手段３４は、ＬＣＤパネルとしたり、有機ＥＬパネルとしたりすることができる。
【００６３】
以上のように構成された本発明の実施の形態５に係るクラウン１０５の除去方法を説明する。
まず、歯科医師は、治療の際に、図１６に示す咬合面１０ｓの歯面溝１０ｔに形成された識別表示部１８を発見すると、このクラウン１０５に薄肉部が形成されていることを認識することができる。
歯科医師は、この識別表示部１８が「Ｇ」であることから歯科技工所を特定する。
【００６４】
そして、歯科医師は、図１８に示す端末装置４０を操作して歯科補綴物管理装置３０にアクセスする。
歯科補綴物管理装置３０では、検索手段３３ａが通信手段３３ｃを介して入力画面を端末装置４０に送信する。
端末装置４０では、端末装置４０の入力手段を操作して、歯科技工所の名称を入力して、歯科補綴物管理装置３０に検索を指示する。
制御手段３３の検索手段３３ａは、歯科医師によって入力された入力情報である歯科技工所の情報に基づいて、記憶手段３２に格納された情報を検索する。次に、検索手段３３ａは、記憶手段３２から検索されたクラウン１０５の第１薄肉部１１ａおよび第２薄肉部１１ｂの形状と位置を示す情報である画像情報を、端末装置４０へ通信手段３３ｃを介して送信する。
端末装置４０では、検索手段３３ａからの画像情報を、端末装置４０の表示手段に表示する。
【００６５】
例えば、図１９に示すように、端末装置４０の表示手段には、クラウン１０５の斜視図Ａ、クラウン１０５の断面図が表示されている。クラウン１０５の断面図は、歯列弓の方向と直交する方向に沿った断面図Ｂと、歯列弓の方向に沿った断面図Ｃである。また、端末装置４０の表示手段には、第１薄肉部１１ａ，第２薄肉部１１ｂの位置を示すクラウン１０５の模式的な図が表示されている。模式的な図は、平面図Ｄと側面図Ｅである。
歯科医師は、図１７に示される第１薄肉部１１ａ，第２薄肉部１１ｂが、端末装置４０の表示手段に、図１９に示す断面図Ｂ，Ｃおよび平面図Ｄと、側面図Ｅとして表示されるため、第１薄肉部１１ａおよび第２薄肉部１１ｂが外側面１０ｎから見えなくても、第１薄肉部１１ａおよび第２薄肉部１１ｂを把握することができる。
【００６６】
また、歯科補綴物管理装置３０にアクセスする端末装置４０が歯科医院に設置されていることで、患者が、引っ越ししたり、旅行先であったりしても、移動先の歯科医院で、患者に該当するクラウンやブリッジ、インレーなどの歯科補綴物の薄肉部を調べることができる。
なお、上記例では、端末装置４０から歯科補綴物管理装置３０にアクセスして、薄肉部の形状と位置とを調べていたが、オフラインで歯科補綴物管理装置３０を使用することもできる。その場合には、例えば、歯科技工士が入力手段３１を操作して、入力情報を入力する。検索手段３３ａは、この入力情報に基づいて記憶手段３２を検索する。検索手段３３ａは、検索結果を、表示制御手段３３ｂを介して表示手段３４へ表示させる。このようにして、操作者である歯科技工士は、歯科補綴物管理装置３０をオフラインでも使用することができる。
【００６７】
識別表示部１８が咬合面１０ｓの歯面溝１０ｔに形成されているため、患者は識別表示部１８の凹凸が気にならない。
なお、本実施の形態５では、識別表示部１８が咬合面１０ｓの歯面溝１０ｔに形成されていたが、識別表示部１８ｘ（点線による「Ｇ」）がクラウン１０５の裾部に形成されていてもよい。
【００６８】
本実施の形態５では、識別表示部１８が歯科技工所を特定するものとしていたが、歯科補綴物の製造型式、または製造番号としてもよい。
例えば、図２０に示すように、クラウン１０６には、裾部１０ｄに識別表示部１８として、製造型式が表記されている。
歯科医師は、この製造型式を読み取って、歯科補綴物管理装置３０により、図１９に示すようなクラウン１０６の第１薄肉部１１ａおよび第２薄肉部１１ｂ（図１７参照）を把握することができる。この場合、歯科補綴物管理装置３０では、薄肉部（第１薄肉部１１ａ，第２薄肉部１１ｂ）の形状および位置が、画像情報として、製造型式を示す情報に関連付けられて、記憶手段３２に格納されていればよい。
【００６９】
例えば、クラウンに付与する識別表示部として、歯科技工所と、歯科補綴物の製造型式、または製造番号との組み合わせとすることができる。
更に、歯科補綴物管理装置３０では、薄肉部（第１薄肉部１１ａ，第２薄肉部１１ｂ）の形状および位置が、歯科技工所と、製造型式と、製造番号だけでなく、患者名と、歯牙の位置を示す番号とも関連付けられて、患者ごとに、記憶手段３２に管理されていてもよい。
【００７０】
そうすることで、患者のクラウンにて、識別表示部として歯科技工所がわかれば、患者名と、歯牙の位置を示す番号とに基づいて、歯科補綴物管理装置３０にて、歯科補綴物の薄肉部の形状および位置を調べることができる。
これにより、例えば、製造型式または製造番号を示す識別表示部が消えかかっていても、歯科技工所を示す識別表示部が視認できれば、端末装置４０を備えた歯科医院であれば、どの歯科医院でも、その患者の情報を得ることができる。
【００７１】
更に、本実施の形態５では、識別表示部１８が文字や記号、図形であったが、識別表示部１８が一次元バーコードや、ＱＲコード（登録商標），ｉＱＲコード（登録商標）などの二次元バーコードとすることも可能である。
【００７２】
なお、本実施の形態１〜５では、歯科補綴物として、全部鋳造冠や前装鋳造冠などのクラウン、ブリッジを例に説明したが、本発明は、インレーなど、一部が欠損または全部が喪失した歯牙に補填される他の歯科補綴物にも適用することが可能である。
【産業上の利用可能性】
【００７３】
本発明は、再治療の際に切削されて除去される歯科補綴物に好適である。
【符号の説明】
【００７４】
１０１，１０２，１０３，１０３ｘ，１０５，１０６  クラウン
１０ａ  一方の裾部
１０ｂ  他方の裾部
１０ｃ，１０ｄ  裾部
１０ｍ  内側面
１０ｎ  外側面
１０ｓ  咬合面
１０ｔ  歯面溝
１１ａ  第１薄肉部
１１ｂ    第２薄肉部
１２ａ  第１位置表示部
１２ｂ  第２位置表示部
１３  歯牙形成部
１３ｍ  内側面
１３ｎ  外側面
１４  被覆部
１０４  ブリッジ
１５  支台装置
１５ｓ  収容空間
１６  ポンティック
１７  連結部
１７ｓ  空洞部
１８，１８ｘ  識別表示部
２０，２１，２２，２３  支台歯
３０  歯科補綴物管理装置
３１  入力手段
３２  記憶手段
３３  制御手段
３３ａ  検索手段
３３ｂ  表示制御手段
３３ｃ  通信手段
３４  表示手段
４０  端末装置
Ｌ１，Ｌ２，Ｌ３  仮想線
Ｗ  ネットワーク
【図１】
0006407729.tif 000002
【図２】
0006407729.tif 000003
【図３】
0006407729.tif 000004
【図４】
0006407729.tif 000005
【図５】
0006407729.tif 000006
【図６】
0006407729.tif 000007
【図７】
0006407729.tif 000008
【図８】
0006407729.tif 000009
【図９】
0006407729.tif 000010
【図１０】
0006407729.tif 000011
【図１１】
0006407729.tif 000012
【図１２】
0006407729.tif 000013
【図１３】
0006407729.tif 000014
【図１４】
0006407729.tif 000015
【図１５】
0006407729.tif 000016
【図１６】
0006407729.tif 000017
【図１７】
0006407729.tif 000018
【図１８】
0006407729.tif 000019
【図１９】
0006407729.tif 000020
【図２０】
0006407729.tif 000021